(57)【要約】【課題】第１の付加画像を含む画像情報を入手して、第２の付加画像を付加しようとする際に、それぞれの付加画像の目的が達成できるように印刷を行う。【解決手段】第１の付加画像を含む画像の画像情報が入力される入力部と、画像情報を解析し、第１の付加画像の配置情報を取得する機能と、画像情報を処理して画像形成の制御を行う機能を有する制御部とを有し、制御部は、第２の付加画像を画像に付加する設定がされている場合、第２の付加画像の配置情報を取得して、第１の付加画像の配置情報と第２の付加画像の配置情報との比較に基づいて、第２の付加画像の配置を決定する。【選択図】図５
2018016004.tif 000002
【特許請求の範囲】
【請求項１】
第１の付加画像を含む画像の画像情報が入力される入力部と、
前記画像情報を解析し、前記第１の付加画像の配置情報を取得する機能と、画像情報を処理して画像形成の制御を行う機能を有する制御部とを有し、
前記制御部は、第２の付加画像を前記画像に付加する設定がされている場合、前記第２の付加画像の配置情報を取得して、前記第１の付加画像の配置情報と前記第２の付加画像の配置情報との比較に基づいて、前記第２の付加画像の配置を決定することを特徴とする画像形成装置。
【請求項２】
前記制御部は、前記配置情報の比較によって、前記第２の付加画像を前記第１の付加画像で代用できると判断される場合、前記第１の付加画像を印刷し、前記第２の付加画像を印刷しない制御を行うことを特徴とする請求項１記載の画像形成装置。
【請求項３】
前記制御部は、前記配置情報の比較によって、前記第２の付加画像を前記第１の付加画像で代用できないと判断し、かつ、前記第１の付加画像と前記第２の付加画像とが転写媒体上で重ならないと判断する場合、前記第１の付加画像と前記第２の付加画像の双方を印刷する制御を行うことを特徴とする請求項１記載の画像形成装置。
【請求項４】
前記制御部は、前記配置情報の比較によって、前記第２の付加画像を前記第１の付加画像で代用できないと判断し、かつ前記第１の付加画像と前記第２の付加画像とが転写媒体上で重なると判断する場合は、前記第１の付加画像を印刷するとともに、前記第１の付加画像の配置情報に基づいて前記第２の付加画像を前記第１の付加画像と重ならない位置に印刷する制御を行うことを特徴とする請求項１記載の画像形成装置。
【請求項５】
前記制御部は、前記配置情報の比較によって、前記第２の付加画像を前記第１の付加画像で代用できないと判断し、かつ前記第１の付加画像と前記第２の付加画像とが転写媒体上で重なると判断する場合は、前記第１の付加画像を印刷するとともに、前記第２の付加画像の色を変更して印刷する制御を行うことを特徴とする請求項１記載の画像形成装置。
【請求項６】
前記第２付加画像で変更された色が、前記第１の付加画像の色と異なるものであることを特徴とする請求項５記載の画像形成装置。
【請求項７】
前記制御部は、前記配置情報の比較によって前記第１の付加画像で前記第２の付加画像が代用できないと判断し、かつ前記第１の付加画像と前記第２の付加画像とが転写媒体上で重なると判断する場合は、前記第１の付加画像を転写媒体上に印刷するとともに、前記第２の付加画像の形状を変更して前記転写媒体上に印刷する制御を行うことを特徴とする請求項１、５、６のいずれか１項に記載の画像形成装置。
【請求項８】
前記第２の付加画像で変更された形状が、前記第１の付加画像の形状と異なるものであることを特徴とする請求項７記載の画像形成装置。
【請求項９】
前記制御部は、前記配置情報の比較によって前記第２の付加画像を前記第１の付加画像で代用できないと判断し、かつ前記第１の付加画像と前記第２の付加画像とが転写媒体上で重なると判断する場合は、前記第１の付加画像を印刷するとともに、前記第１の付加画像の配置情報に基づいて前記第２の付加画像の位置をずらして印刷する制御を行うことを特徴とする請求項５〜８のいずれか１項に記載の画像形成装置。
【請求項１０】
前記制御部は、前記第２の付加画像が前記第１の付加画像と識別して画像の読取りが行われるように、前記第２の付加画像の配置を変更することを特徴とする請求項５〜９のいずれか１項に記載の画像形成装置。
【請求項１１】
前記第２の付加画像の変更が、前記第２の付加画像の位置、形状および色の少なくとも一つを変更するものであることを特徴とする請求項１０に記載の画像形成装置。
【請求項１２】
前記第１の付加画像と前記第２の付加画像がトンボであることを特徴とする請求項１〜１１のいずれか１項に記載の画像形成装置。
【請求項１３】
前記制御部は、前記第１の付加画像で前記第２の付加画像が代用できるかを、それぞれのトンボの位置、トンボを構成する線の太さおよび複数の線が交わる角度を含む判定基準に基づいて判断することを特徴とする請求項１２記載の画像形成装置。
【請求項１４】
前記制御部は、前記第２の付加画像の配置の変更を行った場合、前記第２の付加画像を読み取って画像の検査を行う検査部に通知することを特徴とする請求項５〜１３のいずれか１項に記載の画像形成装置。
【請求項１５】
前記制御部は、画像形成装置全体を制御する制御ＣＰＵを含み、該制御ＣＰＵによって、前記画像情報を解析し、前記第１の付加画像の配置情報を取得するとともに、画像情報を処理して画像形成の制御を行うことを特徴とする請求項１〜１４のいずれか１項に記載の画像形成装置。
【請求項１６】
前記制御部は、画像形成装置全体を制御する画像制御ＣＰＵと前記入力部に設けられた入力部制御部とを含み、前記入力部制御部によって、前記画像情報を解析し、前記第１の付加画像の配置情報を取得し、前記画像制御ＣＰＵによって、画像情報を処理して画像形成の制御を行うことを特徴とする請求項１〜１４のいずれか１項に記載の画像形成装置。
【請求項１７】
前記制御部は、前記画像情報に含まれるタグ情報に基づいて前記第１の付加画像の解析を行うことを特徴とする請求項１〜１６のいずれか１項に記載の画像形成装置。
【請求項１８】
前記制御部は、前記画像情報の画像データに基づいて前記第１の付加画像の解析を行うことを特徴とする請求項１〜１７のいずれか１項に記載の画像形成装置。
【請求項１９】
前記画像情報は、ページ記述言語で作成されたジョブをイメージデータに変換したプリンタコントローラから前記入力部に送信されたものであることを特徴とする請求項１〜１８のいずれか１項に記載の画像形成装置。
【請求項２０】
前記プリンタコントローラを備えることを特徴とする請求項１９に記載の画像形成装置。
【請求項２１】
前記第１の付加画像は、前記画像情報に含まれて、前記プリンタコントローラで受信したものであることを特徴とする請求項１９または２０に記載の画像形成装置。
【請求項２２】
前記第１の付加画像は、前記プリンタコントローラにおいて前記画像情報に含まれたものであることを特徴とする請求項１９または２０に記載の画像形成装置。
【請求項２３】
第１の付加画像を含む画像の画像情報が入力される入力部と、
前記画像情報を解析し、前記第１の付加画像の転写媒体上における配置情報を取得し、画像情報を処理して画像形成の制御を行う制御部とを有し、
前記制御部は、第２の付加画像を前記画像に付加する設定がなされている場合、前記第２の付加画像の配置情報を取得して、前記第１の付加画像の配置情報と前記第２の付加画像の配置情報の比較に基づいて、前記第２の付加画像の配置を決定することを特徴とする画像形成システム。
【請求項２４】
画像情報が入力される入力部で制御を行う制御部で実行されるプログラムであって、
第１の付加画像を含む画像の画像情報を受けて、前記画像情報を分析して転写媒体上における前記第１の付加画像の配置情報を取得するステップと、
第２の付加画像を前記画像に付加する設定の場合、前記第２の付加画像の配置情報を取得して、前記第１の付加画像の配置情報と前記第２の付加画像の配置情報の比較に基づいて、前記第２の付加画像の配置を決定するステップと、を有することを特徴とするプログラム。
【請求項２５】
画像情報を処理して画像形成の制御を行う制御部で実行されるプログラムであって、
第１の付加画像を含む画像の画像情報を受けて、前記画像情報を分析して転写媒体上における前記第１の付加画像の配置情報を取得するステップと、
第２の付加画像を前記画像に付加する設定の場合、前記第２の付加画像の配置情報を取得して、前記第１の付加画像の配置情報と前記第２の付加画像の配置情報の比較に基づいて、前記第２の付加画像の配置を決定するステップと、を有することを特徴とするプログラム。
【発明の詳細な説明】
【技術分野】
【０００１】
この発明は、第１の付加画像が含まれる画像に第２の付加画像を付加することができる画像形成装置、画像形成システムおよびプログラムに関するものである。
【背景技術】
【０００２】
画像形成装置では、画像データに基づいて用紙に画像を形成しており、この用紙を断裁する際に、目印として用紙の画像領域外の余白部分に付加画像としてトンボなどの断裁用マークを印刷する場合がある。
また、画像形成装置では、両面印刷機構を設けることによって用紙の両面に画像を形成することができる。両面印刷機構は、通常は、片面に画像が形成された用紙体を反転搬送して前記画像形成部の搬送方向上流側に搬送する機構である。ところで、両面印刷を行う際には、通常の片面印刷のみの場合と異なる搬送路を用紙が移動する場合があり、表面と裏面とで画像の位置ずれが生じる場合がある。また、表面と裏面とでは、昇温や加湿の有無などによって用紙の伸縮が生じ、画像の大きさが変わってしまう場合がある。このため、表裏の画像の位置や表裏の倍率を調整する表裏調整が可能になった画像形成装置が提案されている。
表裏調整では、用紙の表裏面に画像位置調整用のマーク（例えば十字パッチのトンボ）を印刷し、これをインラインの検知部で画像検知して、画像形成調整を行っている。
【０００３】
画像形成装置のプリンタコントローラにおいては、外部から送信される画像を印刷用の画像に変換する際に、画像データにトンボの画像データを合成する画像合成処理が行われている。
特許文献１では、プリンタコントローラを使用せずにトンボを印刷する技術を提案している。
【先行技術文献】
【特許文献】
【０００４】
【特許文献１】特開２０１１−０１１３６７号公報
【発明の概要】
【発明が解決しようとする課題】
【０００５】
しかし、特許文献１では、トンボ形成については画像形成装置（プリンタエンジン）側で実施しており、トンボが形成された画像をプリンタコントローラで取得する場合は想定していない。このため、プリンタコントローラを介して画像情報を取得する場合は、接続するプリンタコントローラの種類が限られてしまう。
一方、トンボは、上記したように断裁用のマークや表裏調整用のマークなど、異なる目的で使用する場合があり、それぞれの目的を達成できる付加画像を印刷した場合がある。しかし、トンボが形成された画像情報を、プリンタコントローラを通して取得し、これに他の目的でトンボを形成しようとすると、互いのトンボで支障を生じて、それぞれのトンボの目的が十分に達成できないおそれがある。
【０００６】
本発明は、上記事情を背景としてなされたものであり、第１の付加画像を含む画像情報を入手して、第２の付加画像を付加しようとする際に、それぞれの付加画像の目的が達成できるように印刷を行うことができる画像形成装置、画像形成システムおよびプログラムを提供することを目的の一つとする。
【課題を解決するための手段】
【０００７】
すなわち、本発明の画像形成装置のうち、第１の形態は、第１の付加画像を含む画像の画像情報が入力される入力部と、
前記画像情報を解析し、前記第１の付加画像の配置情報を取得する機能と、画像情報を処理して画像形成の制御を行う機能を有する制御部とを有し、
前記制御部は、第２の付加画像を前記画像に付加する設定がされている場合、前記第２の付加画像の配置情報を取得して、前記第１の付加画像の配置情報と前記第２の付加画像の配置情報との比較に基づいて、前記第２の付加画像の配置を決定することを特徴とする画像形成装置。
【０００８】
他の形態の画像形成装置は、前記形態の本発明において、前記制御部は、前記配置情報の比較によって、前記第２の付加画像を前記第１の付加画像で代用できると判断される場合、前記第１の付加画像を印刷し、前記第２の付加画像を印刷しない制御を行うことを特徴とする。
【０００９】
他の形態の画像形成装置は、前記形態の本発明において、前記制御部は、前記配置情報の比較によって、前記第２の付加画像を前記第１の付加画像で代用できないと判断し、かつ、前記第１の付加画像と前記第２の付加画像とが転写媒体上で重ならないと判断する場合、前記第１の付加画像と前記第２の付加画像の双方を印刷する制御を行うことを特徴とする。
【００１０】
他の形態の画像形成装置は、前記形態の本発明において、前記制御部は、前記配置情報の比較によって、前記第２の付加画像を前記第１の付加画像で代用できないと判断し、かつ前記第１の付加画像と前記第２の付加画像とが転写媒体上で重なると判断する場合は、前記第１の付加画像を印刷するとともに、前記第１の付加画像の配置情報に基づいて前記第２の付加画像を前記第１の付加画像と重ならない位置に印刷する制御を行うことを特徴とする。
【００１１】
他の形態の画像形成装置は、前記形態の本発明において、前記制御部は、前記配置情報の比較によって、前記第２の付加画像を前記第１の付加画像で代用できないと判断し、かつ前記第１の付加画像と前記第２の付加画像とが転写媒体上で重なると判断する場合は、前記第１の付加画像を印刷するとともに、前記第２の付加画像の色を変更して印刷する制御を行うことを特徴とする。
【００１２】
他の形態の画像形成装置は、前記形態の本発明において、前記第２付加画像で変更された色が、前記第１の付加画像の色と異なるものであることを特徴とする。
【００１３】
他の形態の画像形成装置は、前記形態の本発明において、前記制御部は、前記配置情報の比較によって前記第１の付加画像で前記第２の付加画像が代用できないと判断し、かつ前記第１の付加画像と前記第２の付加画像とが転写媒体上で重なると判断する場合は、前記第１の付加画像を転写媒体上に印刷するとともに、前記第２の付加画像の形状を変更して前記転写媒体上に印刷する制御を行うことを特徴とする。
【００１４】
他の形態の画像形成装置は、前記形態の本発明において、前記第２の付加画像で変更された形状が、前記第１の付加画像の形状と異なるものであることを特徴とする。
【００１５】
他の形態の画像形成装置は、前記形態の本発明において、前記制御部は、前記配置情報の比較によって前記第２の付加画像を前記第１の付加画像で代用できないと判断し、かつ前記第１の付加画像と前記第２の付加画像とが転写媒体上で重なると判断する場合は、前記第１の付加画像を印刷するとともに、前記第１の付加画像の配置情報に基づいて前記第２の付加画像の位置をずらして印刷する制御を行うことを特徴とする。
【００１６】
他の形態の画像形成装置は、前記形態の本発明において、前記制御部は、前記第２の付加画像が前記第１の付加画像と識別して画像の読み取りが行われるように、前記第２の付加画像の配置を変更することを特徴とする。
【００１７】
他の形態の画像形成装置は、前記形態の本発明において、前記第２の付加画像の変更が、前記第２の付加画像の位置、形状および色の少なくとも一つを変更するものであることを特徴とする。
【００１８】
他の形態の画像形成装置は、前記形態の本発明において、前記第１の付加画像と前記第２の付加画像がトンボであることを特徴とする。
【００１９】
他の形態の画像形成装置は、前記形態の本発明において、前記制御部は、前記第１の付加画像で前記第２の付加画像が代用できるかを、それぞれのトンボの位置、トンボを構成する線の太さおよび複数の線が交わる角度を含む判定基準に基づいて判断することを特徴とする。
【００２０】
他の形態の画像形成装置は、前記形態の本発明において、前記制御部は、前記第２の付加画像の位置、形状および色の少なくとも一つの変更を行った場合、前記第２の付加画像を読み取って画像の検査を行う検査部に通知することを特徴とする。
【００２１】
他の形態の画像形成装置は、前記形態の本発明において、前記制御部は、画像形成装置全体を制御する画像制御ＣＰＵを含み、該画像制御ＣＰＵによって、前記画像情報を解析し、前記第１の付加画像の配置情報を取得するとともに、画像情報を処理して画像形成の制御を行うことを特徴とする。
【００２２】
他の形態の画像形成装置は、前記形態の本発明において、前記制御部は、画像形成装置全体を制御する画像制御ＣＰＵと前記入力部に設けられた入力部制御部とを含み、前記入力部制御部によって、前記画像情報を解析し、前記第１の付加画像の配置情報を取得し、前記画像制御ＣＰＵによって、画像情報を処理して画像形成の制御を行うことを特徴とする。
【００２３】
他の形態の画像形成装置は、前記形態の本発明において、前記制御部は、前記画像情報に含まれるタグ情報に基づいて前記第１の付加画像の解析を行うことを特徴とする。
【００２４】
他の形態の画像形成装置は、前記形態の本発明において、前記制御部は、前記画像情報の画像データに基づいて前記第１の付加画像の解析を行うことを特徴とする。
【００２５】
他の形態の画像形成装置は、前記形態の本発明において、前記画像情報は、ページ記述言語で作成されたジョブをイメージデータに変換したプリンタコントローラから前記入力部に送信されたものであることを特徴とする。
【００２６】
他の形態の画像形成装置は、前記形態の本発明において、前記プリンタコントローラを備えることを特徴とする。
【００２７】
他の形態の画像形成装置は、前記形態の本発明において、前記第１の付加画像は、前記画像情報に含まれて、前記プリンタコントローラで受信したものであることを特徴とする。
【００２８】
他の形態の画像形成装置は、前記形態の本発明において、前記第１の付加画像は、前記プリンタコントローラにおいて前記画像情報に含まれたものであることを特徴とする。
【００２９】
本発明の画像形成システムのうち、第１の形態は、第１の付加画像を含む画像の画像情報が入力される入力部と、前記画像情報を解析し、前記第１の付加画像の転写媒体上における配置情報を取得し、画像情報を処理して画像形成の制御を行う制御部とを有し、
前記制御部は、第２の付加画像を前記画像に付加する設定がなされている場合、前記第２の付加画像の配置情報を取得して、前記第１の付加画像の配置情報と前記第２の付加画像の配置情報の比較に基づいて、前記第２の付加画像の配置を決定することを特徴とする。
【００３０】
本発明のプログラムのうち、第１の形態は、画像情報が入力される入力部で制御を行う制御部で実行されるプログラムであって、第１の付加画像を含む画像の画像情報を受けて、前記画像情報を分析して転写媒体上における前記第１の付加画像の配置情報を取得するステップと、
第２の付加画像を前記画像に付加する設定の場合、前記第２の付加画像の配置情報を取得して、前記第１の付加画像の配置情報と前記第２の付加画像の配置情報の比較に基づいて、前記第２の付加画像の配置を決定するステップと、を有することを特徴とする。
【００３１】
他の形態のプログラムは、画像情報を処理して画像形成の制御を行う制御部で実行されるプログラムであって、第１の付加画像を含む画像の画像情報を受けて、前記画像情報を分析して転写媒体上における前記第１の付加画像の配置情報を取得するステップと、第２の付加画像を前記画像に付加する設定の場合、前記第２の付加画像の配置情報を取得して、前記第１の付加画像の配置情報と前記第２の付加画像の配置情報の比較に基づいて、前記第２の付加画像の配置を決定するステップと、を有することを特徴とする。
【発明の効果】
【００３２】
以上説明したように、本発明によれば、入力される画像情報に付加されている第１の付加画像と、前記付加画像に付加される第２の付加画像とを、互いに影響することなく配置して付加画像の目的を達成することを可能にする。
【図面の簡単な説明】
【００３３】
【図１】本発明の画像形成装置および画像形成システムにおける一実施形態の概略を示す図である。
【図２】同じく、制御ブロックを示す図である。
【図３】他の実施形態の制御ブロックを示す図である。
【図４】本発明の一実施形態の印刷処理手順を示すフローチャートの一部を示す図である。
【図５】同じく、フローチャートの残りを示す図である。
【図６】本発明の他の実施形態の印刷処理手順を示すフローチャートの一部を示す図である。
【図７】同じく、フローチャートの残りを示す図である。
【図８】第１の付加画像の配置状態と第１の付加画像の配置状態の例と、付加画像を用紙に印刷した状態を示す図である。
【図９】第１の付加画像の配置状態と第１の付加画像の配置状態の他例と、付加画像を用紙に印刷した状態を示す図である。
【図１０】第１の付加画像の配置状態と第１の付加画像の配置状態のさらに他例と、付加画像を用紙に印刷した状態を示す図である。
【発明を実施するための形態】
【００３４】
以下に、本発明の画像形成装置および画像形成システムの実施形態を添付図面に基づいて説明する。
図１は、本実施形態の画像形成装置１の概略構造を示す図である。
本実施形態の画像形成装置１は、用紙の搬送方向に沿って、上流側から大容量給紙段を有する大容量給紙装置４０、装置本体１０、読取装置２０、後処理装置３０を備えており、各装置は用紙の搬送方向に連なって接続されている。大容量給紙装置４０は装置本体１０へ給紙することが可能である。なお、読取装置２０は、本発明の検査部に相当する。
【００３５】
本実施形態では、これらの装置によって画像形成装置が構成されているものとする。なお、本発明としては画像形成装置の構成がこれに限定されるものではなく、装置本体１０と読取装置２０とで画像形成装置が構成されるものでもよく、また、装置本体１０のみで画像形成装置を構成し、読取装置２０、後処理装置３０、大容量給紙装置４０などを備えるものを画像形成装置外とし、画像形成装置とともに画像形成システムを構成するものとしてもよい。
【００３６】
まず、装置本体１０について説明する。
装置本体１０の上部側に、自動原稿給送装置（ＡＤＦ）１４が設けられている。自動原稿給送装置（ＡＤＦ）１４で給送される原稿は、スキャナー部によって画像の読み取りが可能となっている。なお、原稿は図示しないプラテンガラス上で読み取ることも可能である。
【００３７】
装置本体１０の上部側には、さらに、操作部１４０が配置されている。操作部１４０はタッチパネル式のＬＣＤ１４１を有しており、ＬＣＤ１４１によって情報の表示および操作の受付が可能となっている。なお、操作部をマウスやタブレットなどで構成し、表示部とは別体で構成することも可能である。また、ＬＣＤ１４１は移動可能となっているものであってもよい。
【００３８】
装置本体１０の下部側には、本体給紙部１２が配置されている。本体給紙部１２は、用紙を収納して給紙する複数の本体給紙段を有している。また、装置本体１０に付設されている大容量給紙装置４０は複数の大容量給紙段を有しており、用紙を収納して装置本体１０に対し用紙を供給する。用紙は、本発明の転写媒体に相当する。なお、転写媒体は紙に限定されるものでもなく、布やプラスチックなどであってもよい。
【００３９】
装置本体１０の内部には、搬送経路１３が設けられている。搬送経路１３は、本体給紙部１２または大容量給紙装置４０から給紙される用紙を搬送するものであり、読取装置２０の搬送経路２３へ接続されている。
装置本体１０の搬送経路１３の途中には、画像形成部１１が設けられている。画像形成部１１は、各色（シアン（Ｃ）、マゼンタ（Ｍ）、イエロー（Ｙ）、ブラック（Ｋ））用にそれぞれ感光体１１ａを有しており、各感光体１１ａの周囲には、図示しない帯電器、ＬＤ、現像器を有している。さらに、画像形成部１１は、感光体１１ａの画像が転写される中間転写ベルト１１ｂ、および中間転写ベルト１１ｂの画像を用紙に転写する二次転写部１１ｃを有している。
【００４０】
二次転写部１１ｃの下流側の搬送経路１３には、定着器１１ｄが配置されている。
上記した感光体１１ａ、図示しない帯電器、ＬＤ、現像器、中間転写ベルト１１ｂ、二次転写部１１ｃ、定着器１１ｄなどによって画像形成部１１が構成されている。なお、画像形成部としては、単色で画像形成を行うものであってもよい。単色のみが印刷可能な画像形成部であってもよい。
【００４１】
また、搬送経路１３では、定着器１１ｄの下流側でストレート側から分岐した反転搬送経路１３ａを有している。反転搬送経路１３ａからは、下流搬送経路１３ｃが分岐しており、その下流側では退避搬送経路１３ｂが分岐している。反転搬送経路１３ａは、退避搬送経路１３ｂが分岐した以降の下流側では、画像形成部１１よりも上流側で搬送経路１３に合流している。
【００４２】
反転搬送経路１３ａに搬送された用紙は、フェイス面切り替えのみを行う場合は、一旦退避搬送経路１３ｂに送られた後、逆走して下流搬送経路１３ｃに送られる。下流搬送経路１３ｃは、搬送方向下流側で搬送経路１３に合流しており、下流搬送経路１３ｃに送られる用紙は、フェイス面の切り替えが行われた状態で搬送経路１３を通って下流側に搬送される。
用紙を反転して画像形成部１１に環流する場合、反転搬送経路１３ａから一旦退避搬送経路１３ｂに送った後、逆走して下流側の反転搬送経路１３ａに送り、画像形成部１１の上流側で搬送経路１３に合流させて用紙の裏面側への画像形成を行う。
【００４３】
また、装置本体１０の本体制御部１００は、画像形成装置１全体を制御するものであり、ＣＰＵやＣＰＵで実行されるプログラム、パラメータや作業領域となる記憶部などによって構成される。
【００４４】
装置本体１０の下流側には読取装置２０が接続されており、装置本体１０の搬送経路１３の下流側は、読取装置２０の搬送経路２３に接続されている。
上記した大容量給紙装置４０、本体給紙部１２、搬送経路１３、画像形成部１１などによって、プリント部２５０（図２、３示）が構成されている。
【００４５】
搬送経路２３の中途には、用紙の片面の画像を読み取る画像読取部２４が備えられている。画像読取部２４は、搬送経路２３を搬送される用紙のフェイス面における画像を読み取り、読み取り結果を本体制御部１００へ送信する。画像読取部２４はラインセンサーでもよく、また、ポイントで画像を読み取る測色器であってもよい。
【００４６】
搬送経路２３は、画像読取部２４の下流側でストレート側から分岐した反転搬送経路２３ａを有している。反転搬送経路２３ａの中途では退避搬送経路２３ｂが分岐している。反転搬送経路２３ａは、退避搬送経路２３ｂが分岐した以降の下流側では、画像読取部２４の上流側で搬送経路２３に合流している。
【００４７】
搬送経路２３を搬送される用紙は、画像読取部２４を通過した後、フェイス面切り替えを行う場合は、反転搬送経路２３ａに搬送される。
フェイス面の切り替えのみ行う場合は、反転搬送経路２３ａに搬送された用紙は、一旦、退避搬送経路２３ｂに送られた後、退避搬送経路２３ｂを逆走して搬送経路２３に戻って下流側に送られる。
【００４８】
両面の読み取りを行う場合は、用紙は退避搬送経路２３ｂに送られた後、反転搬送経路２３ａに戻され、フェイス面の切り替えが行われた状態で反転搬送経路２３ａを順方向に送られて搬送経路２３を通して下流側に搬送される。この用紙は、先に読み取られた面と反対側の面に印刷された画像が画像読取部２４で読み取られる。
なお、片面の画像読み取りのみを行い、フェイス面の切り替えを行わない場合は、反転搬送経路２３ａに送ることなく搬送経路２３をストレートに搬送する。
さらに、画像読取部２４では、用紙の反転を行うことなく、表面および裏面の画像を一度に読み込める構成としてもよい。
【００４９】
読取装置２０の下流側には後処理装置３０が接続されており、読取装置２０に備える搬送経路２３の下流側は、後処理装置３０の搬送経路３３に接続されている。
搬送経路３３は、分岐して第１排紙部３１および第２排紙部３２に接続されており、第２排紙部３２に至る搬送経路３３の中途に後処理部３４が設けられている。後処理部３４では所定の後処理が実行される。後処理としてはステープル、パンチ、冊子処理などの適宜の処理が挙げられる。後処理を行わない用紙は第１排紙部３１に排紙される。
搬送経路２３で送られる用紙は、後処理装置３０の搬送経路３３に送られて、後処理を行うことなく第１排紙部３１に排紙するか、後処理部３４で所定の後処理が行われて第２排紙部３２に排紙する。後処理部３４では複数の後処理を行うものであってもよい。
【００５０】
なお、上記実施形態では、カラーの画像形成を前提にして説明しているが、画像形成装
置が単色の画像形成部を有するものであってもよい。
【００５１】
また、画像形成装置１には、ネットワーク３を介して外部機器２が接続されている。外部機器２は、ＰＣなどによって構成することができ、画像形成装置１をプリンタとして用いる場合、外部機器２からラスターイメージの画像情報を送ったり、ページ記述言語による画像情報を送ったりすることができる。
また、画像形成装置１には、ネットワークなどを介して画像形成装置１を管理する管理装置を接続するものとしてもよい。
【００５２】
次に、画像形成装置１の制御ブロックを図２に基づいて説明する。
画像形成装置１は、画像形成装置１全体を制御する本体制御部１００を有している。
本体制御部１００は、本体制御ＣＰＵ１１０とシステムメモリ１１１とを備えている。
本体制御ＣＰＵ１１０は、本発明の制御ＣＰＵに相当する。
システムメモリ１１１には、本体制御ＣＰＵ１１０で実行される本発明のプログラムや動作パラメータや、トンボの位置、形状、色、線の太さ、線の角度などの配置情報、その解析手法、トンボを読み込んだ際の補正方法などが不揮発に格納されている。また、システムメモリ１１１に、ＲＡＭを備え、作業領域として用いることができる。
【００５３】
なお、プログラムは、移動可能な記憶部に格納されて流通して使用されるものであってもよい。また、本体制御ＣＰＵ１００には、ＨＤＤ１２０が格納されており、画像情報などの各種データや設定データなどが格納されており、適宜データを格納することができる。
また、本体制御部１００には、メモリ制御ＩＣ１３０が制御可能に接続されており、メモリ制御ＩＣ１３０には、ローカルメモリ１３１が接続されている。ローカルメモリ１３１は、ＲＡＭなどで構成され、後述される入力インターフェース１４０から入力される画像情報のデータを読み出し可能に格納する。
【００５４】
メモリ制御部１３０には、入力インターフェース１４０が接続されており、入力インターフェースで取得した画像情報がメモリ制御ＩＣ１３０に送出される。入力インターフェース１４０は、本発明の入力部に相当する。
【００５５】
また、本体制御部１００には、プリンタ制御部２００が制御可能に接続されている。
プリンタ制御部２００では、画像処理部２１０とトンボ形成部２２０を有しており、画像処理された画像データとトンボ形成部２２０で形成されたトンボ画像を合成する画像合成部２３０を有している。画像合成部２３０の出力側には画像調整部２４０が設けられている。画像調整部２４０の出力側にはプリント部２５０が設けられている。上記した構成によりプリンタエンジンが構成されている。
【００５６】
なお、入力インターフェース１４０には、プリンタエンジン外のプリンタコントローラ３００が接続されており、プリンタコントローラ３００において外部から送信された画像情報が、入力インターフェース１４０に送信される。
さらに、プリント部２５０の下流側には検査部を備える読取装置２０が設けられており、読取装置２０の検査結果はプリンタエンジン側に出力されている。
【００５７】
プリントコントローラ３００では、外部機器２などの外部から画像情報がプリントコントローラ３００に入力される。画像情報における画像は、トンボを含むことができる。この実施形態では、上記トンボは、断裁代に形成され、断裁位置を示すために印刷される断裁用トンボである。なお、第１の付加画像であるトンボは断裁用に限定されるものではなく、さらにはトンボに限定されるものではなく付加的な情報を示すためなどに用いるものであってもよく、コードやテキストなどを表示するものであってもよい。
【００５８】
次に、上記画像形成装置１の動作について、図４、５のフローチャートを参照しながら説明する。
外部機器２などの外部から画像情報がプリントコントローラ３００に入力される。画像情報における画像は、トンボを含むことができる。このトンボは、本発明における第１の付加画像に相当する。
【００５９】
また、この実施形態では、用紙に画像を印刷する際にトンボを形成する設定になっており、この実施形態では表裏印刷調整の倍率調整のために補正用トンボが用いられる設定になっている。このトンボは、本発明の第２の付加画像に相当する。
なお、第２の付加画像であるトンボは補正用に限定されるものではなく、さらにはトンボに限定されるものではなく付加的な情報を示すために用いるものなどであってもよく、コードやテキストなどを表示するものであってもよい。
【００６０】
プリントコントローラ３００は、ラスタイメージを受けることもできるが、ページ記述用語で記載された画像情報をラスタイメージに変換するＲＩＰ（Ｒａｓｔｅｒ  Ｉｍａｇｅ  Ｐｒｏｃｅｓｓｏｒ）コントローラとして機能する。なお、トンボは、画像に含まれて送信される他、画像情報に含まれる情報に従って、プリントコントローラ３００が付加されるものであってもよい。
トンボの情報は、画像に含まれたデータとしてのみ提供される他、トンボの情報（位置や形状などの配置情報）がタグ情報と画像情報に含まれているものであってもよい。
【００６１】
なお、この実施形態では、画像形成装置１にプリンタコントローラ３００が含まれるものとして説明したが、画像形成装置１にはプリンタコントローラを含まず、画像形成装置１外にプリンタコントローラを有するものであってもよい。
【００６２】
プリンタコントローラ３００では、ＲＩＰ処理がされ、ラスタデータとして中間ファイルが生成される。プリンタコントローラからは画像情報が入力インターフェース１４０に入力される（ステップｓ１、処理１）。処理番号は、図２において丸数字で示している。
入力インターフェース１４０からはメモリ制御ＩＣ１３０へ画像情報が転送される（ステップｓ２、処理２）。メモリ制御ＩＣ１３０では、ローカルメモリ１３１画像情報を一旦格納する（ステップｓ３、処理３）。
【００６３】
次に、メモリ制御ＩＣ１３０を経由してローカルメモリ１３１から本体制御ＣＰＵ１１０へ画像を転送する（ステップｓ４、処理４）。本体制御ＣＰＵ１１０では、ＨＤＤ１２０に画像を転送して一旦格納する（ステップｓ５、処理５）。
次に、本体制御ＣＰＵ１１０では、ＨＤＤ１２０に格納の画像データをビットマップ化し（ステップｓ６）、ビットマップ化した画像データをシステムメモリ１１１に格納する（ステップｓ７、処理６）。システムメモリに格納することで、画素毎のアドレス情報が得られる。
【００６４】
本体制御ＣＰＵ１１０では、並行処理（ステップｓ８、ステップｓ１２）を行う。
ステップｓ８では、トンボ解析と並行して、本体制御ＣＰＵ１１０を経由して、システムメモリ１１１からメモリ制御ＩＣ１３０に画像データを転送する（ステップｓ８、処理７）。メモリ制御ＩＣ１３０では、ローカルメモリ１３１に画像情報を一旦格納する（ステップｓ９、処理８）。
メモリ制御ＩＣ１３０では、メモリ制御ＩＣ１３０を経由してローカルメモリ１３１から画像情報を読み出して画像処理部２１０に転送する（ステップｓ１０、処理９）。
画像処理部２１０では、画像データについて、周波数変換、色調整、濃度調整、スクリーン処理などの画像処理を行って画像合成部２３０に転送する（ステップｓ１１、処理１０）。
【００６５】
一方、ステップｓ１２では、本体制御ＣＰＵ１１０でシステムメモリ１１１に格納した画像データを読み出して解析して配置情報を取得し、トンボ判断部へ結果を転送する（処理７Ａ）。
解析では、メモリ格納にて画素毎のアドレス情報と画像あり情報を得て、紙サイズ情報と合わせてトンボ形状・位置を解析することにより行うことができる。
解析は、画像データそのものを評価するものでもよく、また、トンボに関するタグ情報を用いて評価するものであってもよい。解析では、トンボの位置、形状、線の太さ、複数の線の交差角度などの配置情報を得るものとして行う。解析処理は、本体制御ＣＰＵ１１０で実行されるプログラムによって実行することができる。
【００６６】
トンボ判断部では、判断処理を行う（処理８Ａ、ステップｓ１３−ｓ１６）。判断処理は、本体制御ＣＰＵ１１０で実行されるプログラムによって実行される。なお、本体制御ＣＰＵ１１０では、補正用トンボの配置情報が把握されており、この判断処理に補正用トンボの配置情報を用いる。
【００６７】
判断処理では、先ず、両方のトンボの配置情報に基づいて、第１の付加画像であるトンボで、第２の付加画像である補正用トンボを代用できるかを判定する（ステップｓ１３）。判定では、第２の付加画像であるトンボの利用目的（画像形成装置の補正を目的）などを元に基準を設けることができる。この実施形態では、第２の付加画像のトンボが、ポイントを確認して表裏の倍率調整のために用いられるので、ポイントを確定した座標確認が必要になる。トンボ判断部では、第１の付加画像であるトンボについて、トンボの位置、形状、線の太さ、複数の線の交差角度などから代用可否について判定する。
また、判定では、予め使用可能か否かの判定基準を設定する。例えば、
・補正用トンボとの位置が異なる場合の許容範囲
・線の長さ・太さの許容範囲
・複数線が交わる場合の角度などを考慮する。
【００６８】
代用判定の結果、代用できると判定した場合（ステップｓ１４、Ｙｅｓ）、トンボ形成部２２０に補正用トンボの形成なしを指示する（ステップｓ１５、処理９Ａ）。
一方、代用判定の結果、代用できないと判定する場合（ステップｓ１４、Ｎｏ）、両方のトンボの配置情報の比較に基づいて、画像データ内トンボ（断裁用トンボ）と補正用トンボが重ならないかを判定する（ステップｓ１６）。
【００６９】
画像データ内トンボ（断裁用トンボ）と補正用トンボが重ならない場合（ステップｓ１６、Ｙｅｓ）、トンボ形成部２２０に補正用トンボの形成を指示し（ステップｓ１７、処理９Ａ）、トンボ形成部２２０にて補正用トンボを形成する（ステップｓ１９、処理９Ａ）。
一方、画像データ内トンボ（断裁用トンボ）と補正用トンボが重なる場合（ステップｓ１６、Ｎｏ）、トンボ形成部２２０に補正用トンボの位置調整をしてトンボ形成することを指示する（ステップｓ１８、処理９Ａ）。
【００７０】
トンボ形成部２２０では、トンボ情報格納用のＲＡＭ、トンボ形成位置設定用レジスタ、位置調整、トンボ形成回路などから構成される。
ＲＡＭでは、補正用トンボの画像データを格納することができる。レジスタには、補正用トンボの画像データアドレスや修正した画像データのアドレスなどを格納することができる。位置調整では、指示された位置で断裁用トンボを形成するように処理する。その際には、ＲＡＭの画像データやレジスタを用いて位置を修正した補正用トンボをＲＡＭに格納し、レジスタのアドレスを登録する。
ステップｓ１７またはステップｓ１８でトンボ形成の指示をした後、トンボ形成部にて補正用トンボを形成し（ステップｓ１９、処理９Ａ）、画像合成部２３０にトンボ画像を転送する（処理１０Ａ）。
【００７１】
ステップｓ１５またはステップｓ１９の後、画像合成部２３０にて画像領域における画像データに必要に応じて補正用トンボを合成し、画質調整部２４０に転送する（ステップｓ２０、処理１１）。
画像調整部２４０では、画像の書き出し位置や表裏倍率の調整を行い、プリント部２５０へ転送する（ステップｓ２１、処理１２）。
プリント部２５０では、用紙にプリント出力し、印刷された用紙を読取装置２０に出力する（ステップｓ２２、処理２２）。なお、この際に、補正用トンボの配置情報（この形態では配置位置）が変更されている場合、その旨を読取装置２０に通知する。
読取装置２０に含まれる検査部では、補正用トンボの配置が変更されている場合は、それに合わせた読み取りを行うものとして、画像読取部２４で補正用トンボの画像を読み取り、印刷された用紙の画像を読み取って検査し、検査情報をプリンタエンジンに出力し（ステップｓ２３、処理１３）、処理を終了する。
なお、プリンタエンジンでは、検査結果を受けて表裏倍率を算出し、画像調整部２４０にフィードバックすることができる。フィードバック情報をもとに、画像調整部２４０で調整するパラメータを更新する。
【００７２】
なお、ユーザーが断裁用トンボを形成する場合、かつ、画像形成しつつ画像形成装置の補正を実施する場合に、補正用トンボを断裁領域に形成する。断裁領域のない場合は補正用トンボ形成しない。また、画像形成中に画像形成装置の補正を実施しない場合は補正用トンボを形成しない。画像形成しつつ位置調整や表裏倍率調整を行うため補正用トンボを形成するが、前述の調整を実施しないモードの場合は不要である。
【００７３】
なお、図２の形態では、本体制御部１００において、付加画像の解析を行うものとして説明したが、画像情報が入力された際に付加画像の解析を行うようにしてもよい。この実施形態を図３のブロック図に基づいて説明する。なお、第２のブロック図と同様の構成については同一の符号を付してその説明を省略または簡略化する。
【００７４】
画像形成装置１Ａは、画像形成装置１全体を制御する本体制御部１００を有している。
本体制御部１００は、本体制御ＣＰＵ１１０とシステムメモリ１１１とを備えている。
システムメモリ１１１には、本体制御ＣＰＵ１１０で実行される本発明のプログラムや動作パラメータや、トンボの位置、形状、色、線の太さ、線の角度などの配置情報、その解析方法、トンボを読み込んだ際の補正方法などが不揮発に格納されている。また、システムメモリ１１１に、ＲＡＭを備え、作業領域として用いることができる。
【００７５】
本体制御ＣＰＵ１００には、ＨＤＤ１２０が格納されており、画像情報などの各種データや設定データなどが格納されており、適宜データを格納することができる。
本体制御部１００には、メモリ制御ＩＣ１３０が制御可能に接続されており、メモリ制御ＩＣ１３０には、ローカルメモリ１３１が接続されている。
【００７６】
メモリ制御ＩＣ１３０には、入力インターフェース１５０が接続されている。また、入力インターフェース１５０には画像データを一時的に格納する内部メモリ１５１が接続され、内部メモリ１５１にはトンボ判断部１５２が接続されている。
トンボ判断部１５２は、ＣＰＵやＣＰＵ上で動作するプログラムなどによって構成され、メモリ１５１に格納された画像情報について判断処理を行う。
トンボ判断部１５２には、トンボの位置、形状、色、線の太さ、線の角度などの解析方法などの情報を保持しており、補正用トンボの配置情報が記憶されている。
判断処理は、画像情報を解析して、画像情報に含まれる断裁用トンボで、補正用トンボを代用できるかなどを判定する。
入力インターフェース１５０、内部メモリ１５１、トンボ判断部１５２は、本発明の入力部に相当する。
【００７７】
本体制御部１００には、プリンタ制御部２００が制御可能に接続されている。
プリンタ制御部では、画像処理部２１０とトンボ形成部２２０を有しており、画像処理された画像データとトンボ形成部２２０で形成されたトンボを合成する画像合成部２３０を有している。画像合成部２３０の出力側には画像調整部２４０が設けられている。画像調整部２４０の出力側にはプリント部２５０が設けられている。上記した構成によりプリンタエンジンが構成されている。
【００７８】
入力インターフェース１５０には、プリンタエンジン外のプリンタコントローラ３００が接続されており、プリンタコントローラ３００において外部から送信された画像情報が、入力インターフェース１５０に送信される。
【００７９】
次に、上記画像形成装置１Ａの動作について、図６、７のフローチャートを参照しながら説明する。
外部機器２などの外部から画像情報がプリントコントローラ３００に入力される。
プリンタコントローラ３００では、ＲＩＰ処理がされ、ラスタデータとして中間ファイルが生成される。プリンタコントローラからは画像情報が入力インターフェース１５０に入力される（ステップｓ３０、処理２０）。処理番号は、図３において丸数字で示している。
【００８０】
入力インターフェース１５０では、搭載されているビットマップ変換機能によって画像データをビットマップ変換し、内部メモリ１５１に格納する（ステップｓ３１、処理２１）。
入力インターフェース１５０では次いで、並行処理（ステップｓ３２、ステップｓ３６）を行う。
【００８１】
ステップｓ３２では、内部メモリ１５１から画像情報をメモリ制御ＩＣ１３０に画像転送する（処理２２）。
メモリ制御ＩＣ１３０では、ローカルメモリ１３１画像情報を一旦格納する（ステップｓ３３、処理２３）。
メモリ制御ＩＣ１３０を経由してローカルメモリ１３１から画像処理部２１０に画像を転送する（ステップｓ３４、処理２４）。
画像処理部２１０では、画像について、周波数変換、色調整、濃度調整、スクリーン処理などの画像処理を行って画像合成部２３０に転送する（ステップｓ３５、処理２５）。
【００８２】
一方、入力部では、プリンタコントローラ３００から画像形成装置１Ａに入力する画像データについて、入力インターフェース１５０にて画像データを受信する。入力インターフェース１５０に搭載のビットマップ変換機能にてビットマップデータに変換し、入力インターフェース１５０の内部メモリ１５１に格納する。メモリに格納することで、画素毎のアドレス情報が得られる。内部メモリに格納した画像データについて、入力インターフェース１５０内部に搭載のトンボ解析部にて画像データ内のトンボ情報を解析し、解析結果をトンボ判断部１５２に転送する（ステップｓ３６、処理２２Ａ）。トンボ判断部１５２にて画像データ内のトンボ情報と、補正用トンボを比較し、画像データ内のトンボが補正用トンボとして代用可能か判断する（ステップｓ３７、処理２３Ａ）。
トンボ判断処理では、第２の付加画像のトンボが画像位置調整のために用いられるので、断裁用トンボでポイントを確定した座標確認が可能かを判定する。トンボ判断部１５２では、第１の付加画像であるトンボについて、トンボの位置、形状、線の太さ、複数の線の交差角度などから代用可否について判定する。
また、判定では、予め使用可能か否かの判定基準を設定する。例えば、
・補正用トンボとの位置が異なる場合の許容範囲
・線の長さ・太さの許容範囲
・複数線が交わる場合の角度などを考慮する。
【００８３】
入力部にビットマップデータ変換機能やトンボ解析機能・トンボ判断機能を持つ構成の場合、本体制御ＣＰＵを介して処理を行う必要がないため、ＣＰＵへの負担を軽減することが可能となる。
【００８４】
代用判定の結果、代用できると判定した場合（ステップｓ３８、Ｙｅｓ）、トンボ形成部２２０に補正用トンボの形成なしを指示する（ステップｓ３９、処理２４Ａ）。
一方、代用判定の結果、代用できないと判定する場合（ステップｓ３８、Ｎｏ）、両方のトンボの配置情報の比較によって、画像データ内トンボ（断裁用トンボ）と補正用トンボが重ならないかを判定する（ステップｓ４０）。
【００８５】
画像データ内トンボ（断裁用トンボ）と補正用トンボが重ならない場合（ステップｓ４０、Ｙｅｓ）、トンボ形成部に補正用トンボの形成を指示し（ステップｓ４１、処理２４Ａ）、トンボ形成部２２０にて補正用トンボを形成する（ステップｓ４３）。
一方、画像データ内トンボ（断裁用トンボ）と補正用トンボが重なる場合（ステップ４０、Ｎｏ）、トンボ形成部２２０に対し、補正用トンボの位置調整をしてトンボ形成するように指示し（ステップｓ４２、処理２４Ａ）、トンボ形成部２２０にて補正用トンボを形成する（ステップｓ４３）。
【００８６】
トンボ形成部２２０では、ＲＡＭ、レジスタ、位置調整、トンボ形成の構成または機能を有する。ＲＡＭでは、補正用トンボの画像データを格納することができる。レジスタには、補正用トンボの画像データアドレスや修正した画像データのアドレスなどを格納することができる。位置調整では、断裁用トンボの位置、形状などに基づいて、補正用トンボの位置を断裁用トンボに重ならないように位置を変更する。
トンボ形成部２２０で補正用トンボを形成した後、画像合成部２３０にトンボ画像を転送する（処理２５Ａ）。
【００８７】
ステップｓ３５またはステップｓ４３の後、画像合成部２３０で、画像領域の画像データに、必要に応じて補正用トンボを合成し、画質調整部２４０に転送する（ステップｓ４４、処理２６）。
画像調整部２４０では、画像の書き出し位置や表裏倍率調整などを行い、プリント部２５０へ転送する（ステップｓ４５、処理２７）。
プリント部２５０では、用紙にプリント出力し、印刷された用紙を読取装置２０に含まれる検査部に出力する（ステップｓ４６、処理２８）。
なお、この際に、補正用トンボの配置情報（この形態では配置位置）が変更されている場合、その旨を読取装置２０に通知する。
読取装置２０に含まれる検査部では、補正用トンボの配置が変更されている場合は、それに合わせた読み取りを行うものとして、画像読取部２４で補正用トンボの画像を読み取り、印刷された用紙の画像を読み取って検査し、検査情報をプリンタエンジンに出力し（ステップｓ４７、処理２９）、処理を終了する。
プリンタエンジンでは、検査結果を受けて表裏倍率を算出し、画像調整部２４０にフィードバックすることができる。フィードバック情報をもとに、画像調整部２４０で調整するパラメータを更新する。
【００８８】
上記実施形態と同様、ユーザーが断裁用トンボを形成する場合、かつ、画像形成しつつ画像形成装置の補正を実施する場合に、補正用トンボを断裁領域に形成する。断裁領域のない場合は、補正用トンボ形成しない。
また、画像形成中に画像形成装置の補正を実施しない場合は補正用トンボを形成しない。画像形成しつつ位置調整や表裏倍率調整を行うため補正用トンボを形成するが、前述の調整を実施しないモードの場合は不要である。
【００８９】
なお、付加画像の代用可否および付加画像の重なりについて、用紙イメージによって図８〜図１０を参照して説明する。
図８の右上図は、用紙Ｐの画像領域Ｐ０の周囲にある、断裁代を含む余白Ｐ１に、断裁代の境界となる４隅に断裁の位置を示す断裁用トンボＴ１が形成されるものを示す。この画像に関する情報は、入力部に入力される画像情報に含まれている。
断裁用トンボは、コントローラ入力画像（トンボあり）に含まれるものである。
トンボ位置、形状などはコントローラやユーザーに依存する。裁断にて不要となる裁断領域（画像領域外）にトンボ形成する。
【００９０】
図８の左上図は、用紙Ｐの余白Ｐ１の４隅部分に倍率調整用の補正トンボＴ２が形成されている。
図８の下図は、断裁用トンボを補正用トンボとして用紙に出力した状態を示している。
断裁用トンボＴ１の画像は、読み込んで特定の位置を判定することができ、補正用のトンボとして代用できることを示している。
補正用トンボは、画像形成中に補正するモードにて使用するものであり、裁断にて不要となる画像領域外にトンボ形成し画像形成中の補正実行に対応する。
【００９１】
図９の右上図は、断裁代である余白Ｐ１に、断裁代の境界となる４隅に断裁の位置を示す断裁用トンボＴ１０が形成されており、図９左上図は、用紙Ｐの余白Ｐ１の４隅部分に画像位置調整用の補正トンボＴ２０が形成されている。
図９の下図は、断裁用トンボＴ１０と補正用トンボＴ２０とを用紙上にそれぞれ印刷した状態を示している。断裁用トンボＴ１０は、画像の読み込みによって特定位置の検出をすることが難しく、位置調整用の補正用トンボとして利用することができない。また、断裁用トンボＴ１０と補正用トンボＴ２０とを用紙上に印刷した際に、両者が重なることはなく、それぞれのトンボで目的を達成することができる。
【００９２】
図１０の右上図は、断裁代を含む余白Ｐ１に、断裁代の境界となる４隅に断裁の位置を示す断裁用トンボＴ１１が形成されており、図１０左上図は、用紙Ｐの余白Ｐ１の４隅に画像位置調整用の補正トンボＴ２１が形成されている。
この形態では、断裁用トンボＴ１０を補正用トンボとして代用することができず、それぞれのトンボを用紙上に印刷すると、互いに重なることが判定されている。
図１０の下図では、補正用トンボＴ１１をそのまま用紙上に形成することにより断裁用トンボＴ２１と重なる状態が示されている。この実施形態では、その場合、補正用トンボＴ２１を断裁用トンボＴ１１と重ならない位置にずらして補正用トンボＴ２２として形成している。これにより、断裁用トンボＴ１１、補正用トンボＴ２２ともに目的を達成することができる。
この例では、解析したトンボ情報をもとに、補正用トンボの位置が重ならないように、トンボ位置を調整する。副走査方向に位置調整するのが望ましいが主走査方向への位置調整のみでも良い。
【００９３】
なお、上記実施形態では、第２の付加画像の配置情報を変更する必要がある場合、第２の付加画像が第１の付加画像に重ならないように配置位置を変更するものが提示されているが、本発明としては配置情報の変更は、これに限定されるものではなく、付加画像を読み取りなどする際に、第１の付加画像と第２の付加画像とを識別できるものであればよい。
例えば、第２の付加画像の色を変更することで、第１の付加画像との識別を容易にすることができる。特に第１の付加画像の色と異なるように第２の付加画像の色を変更することで、識別が容易になる。この際に、断裁用のトンボと補正用のトンボとが位置が重ならないようにしてもよい。
また、第２の付加画像の形状を変更することで、第１の付加画像との識別を容易にすることができる。特に第１の付加画像の形状と第２の付加画像の形状とが同じである場合、第２の付加画像の形状を第１の付加画像の形状と異なるように第２の付加画像の形状を変更することで、識別が容易になる。なお、色と形状の両方を変更するようにしてもよい。また、断裁用のトンボと補正用のトンボとが位置が重ならないようにしてもよい。
【００９４】
本実施形態によれば、プリンタコントローラにて生成するトンボに影響することなく、画像形成と並行して画像形成装置の補正を行うことが可能となる。プリンタコントローラからの入力にて代用可能なトンボがある場合は、余計なトンボを形成する必要がなく、余白とはいえユーザーの意図しないトンボの形成を抑制することが可能となる。
【００９５】
また、本実施形態では、トンボ形成されたプリンタコントローラ入力画像データに対してトンボ位置や形状を解析可能なため、プリンタコントローラの種類に依存せず、どのようなプリンタコントローラにも対応することが可能となる。
【００９６】
また、この実施形態では、本発明のプログラムを画像形成装置に備えるものとして説明したが、画像形成装置を管理する管理装置や遠隔装置の制御部などで本発明のプログラムが実行されて本発明の動作がなされるものとしてもよい。
【００９７】
以上、本発明について上記実施形態に基づいて説明したが、本発明は、上記実施形態の内容に限定されるものではなく、本発明の範囲を逸脱しない限りは本実施形態に対する適宜の変更が可能である。
【符号の説明】
【００９８】
１    画像形成装置
１Ａ  画像形成装置
２    外部機器
３    ＬＡＮ
１０    装置本体
１１    画像形成部
２０    読取装置
２４    画像読取部
１００    本体制御部
１１０    本体制御ＣＰＵ
１４０    入力インターフェース
１５０    入力インターフェース
２１０    画像処理部
２２０    トンボ形成部
２３０    画像合成部
２５０    プリント部
【図１】
2018016004.tif 000003
【図２】
2018016004.tif 000004
【図３】
2018016004.tif 000005
【図４】
2018016004.tif 000006
【図５】
2018016004.tif 000007
【図６】
2018016004.tif 000008
【図７】
2018016004.tif 000009
【図８】
2018016004.tif 000010
【図９】
2018016004.tif 000011
【図１０】
2018016004.tif 000012